【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
表示制御部に制御されて画像を表示する表示部と、音響信号出力部から音響信号が入力する音響信号取出し部とを有するオーディオ・ビジュアル機器において、
操作信号を出力する第１スイッチと、
前記表示部を覆う蓋の開閉に連動してオン・オフされる第２スイッチと、
前記蓋が閉じられていることを前記第２スイッチが出力し、前記表示制御部と前記音響信号出力部との出力がオフである場合に、前記第２スイッチの出力に基づいて前記蓋が開かれたことを検知したときに、前記表示制御部と前記音響信号出力部との出力をオンする制御部と、
を有することを特徴とするオーディオ・ビジュアル機器。
【請求項２】
表示制御部に制御されて画像を表示する表示部と、音響信号出力部から音響信号が入力する音響信号取出し部とを有するオーディオ・ビジュアル機器において、
操作信号を出力する第１スイッチと、
前記表示部を覆う蓋の開閉に連動してオン・オフされる第２スイッチと、
前記蓋が開かれていることを前記第２スイッチが出力し、前記表示制御部の出力がオフであり、前記音響信号出力部の出力がオンである場合に、前記第１スイッチからの操作信号が入力したときに、前記音響信号出力部の出力をオンに維持しつつ前記表示制御部の出力をオンする制御部と、
を有することを特徴とするオーディオ・ビジュアル機器。
【請求項３】
表示制御部に制御されて画像を表示する表示部と、音響信号出力部から音響信号が入力する音響信号取出し部とを有するオーディオ・ビジュアル機器において、
操作信号を出力する第１スイッチと、
前記表示部を覆う蓋の開閉に連動してオン・オフされる第２スイッチと、
前記蓋が閉じられていることを前記第２スイッチが出力し、前記表示制御部と前記音響信号出力部との出力がオフである場合に、前記第１スイッチからの操作信号が入力したときに、前記表示制御部の出力をオフに維持して前記音響信号出力部の出力をオンする制御部と、
を有することを特徴とするオーディオ・ビジュアル機器。
【請求項４】
表示制御部に制御されて画像を表示する表示部と、音響信号出力部から音響信号が入力する音響信号取出し部とを有するオーディオ・ビジュアル機器において、
操作信号を出力する第１スイッチと、
前記表示部を覆う蓋の開閉に連動してオン・オフされる第２スイッチと、
前記蓋が閉じられていることを前記第２スイッチが出力し、前記表示制御部の出力がオフであって、前記音響信号出力部との出力がオンである場合に、前記第１スイッチからの操作信号が入力したときに、前記表示部の出力をオフに維持しつつ前記音響信号出力部の出力をオフにする制御部と、
を有することを特徴とするオーディオ・ビジュアル機器。
【請求項５】
表示制御部に制御されて画像を表示する表示部と、音響信号出力部から音響信号が入力する音響信号取出し部とを有するオーディオ・ビジュアル機器において、
操作信号を出力する第１スイッチと、
前記表示部を覆う蓋の開閉に連動してオン・オフされる第２スイッチと、
前記蓋が閉じられていることを前記第２スイッチが出力し、前記表示制御部の出力がオフであり、前記音響信号出力部との出力がオンである場合に、前記第２スイッチの出力に基づいて前記蓋が開かれたことを検知したときに、前記音響信号出力部の出力をオンに維持しつつ前記表示制御部の出力をオンにする制御部と、
を有することを特徴とするオーディオ・ビジュアル機器。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
【課題を解決するための手段】
本発明は、蓋によって表示部を覆ったときには、映像などの画像を見る意志がないことを意味していることに注目してなされたもので、上記の目的を達成するために、本発明に係るオーディオ・ビジュアル機器は、表示制御部に制御されて画像を表示する表示部と、音響信号出力部から音響信号が入力する音響信号取出し部とを有するオーディオ・ビジュアル機器において、操作信号を出力する第１スイッチと、前記表示部を覆う蓋の開閉に連動してオン・オフされる第２スイッチと、前記蓋が閉じられていることを前記第２スイッチが出力し、前記表示制御部と前記音響信号出力部との出力がオフである場合に、前記第２スイッチの出力に基づいて前記蓋が開かれたことを検知したときに、前記表示制御部と前記音響信号出力部との出力をオンする制御部と、を有することを特徴としている。このようになっている本発明は、画像をみたいときに蓋を開けると、画像が自動的に表示される。
【手続補正５】
【補正対象書類名】明細書
【補正対象項目名】０００８
【補正方法】変更
【補正の内容】
【０００８】
また、本発明は、表示制御部に制御されて画像を表示する表示部と、音響信号出力部から音響信号が入力する音響信号取出し部とを有するオーディオ・ビジュアル機器において、操作信号を出力する第１スイッチと、前記表示部を覆う蓋の開閉に連動してオン・オフされる第２スイッチと、前記蓋が開かれていることを前記第２スイッチが出力し、前記表示制御部の出力がオフであり、前記音響信号出力部の出力がオンである場合に、前記第１スイッチからの操作信号が入力したときに、前記音響信号出力部の出力をオンに維持しつつ前記表示制御部の出力をオンする制御部と、を有することを特徴としている。このようになっている本発明は、画像を見たいときに第１スイッチを操作することにより、表示部に画像が表示される。


【手続補正６】
【補正対象書類名】明細書
【補正対象項目名】０００９
【補正方法】変更
【補正の内容】
【０００９】
また、本発明は、表示制御部に制御されて画像を表示する表示部と、音響信号出力部から音響信号が入力する音響信号取出し部とを有するオーディオ・ビジュアル機器において、操作信号を出力する第１スイッチと、前記表示部を覆う蓋の開閉に連動してオン・オフされる第２スイッチと、前記蓋が閉じられていることを前記第２スイッチが出力し、前記表示制御部と前記音響信号出力部との出力がオフである場合に、前記第１スイッチからの操作信号が入力したときに、前記表示制御部の出力をオフに維持して前記音響信号出力部の出力をオンする制御部と、を有することを特徴としている。画像を見る必要がなく、音楽やラジオなどを聞きたいときには、第１スイッチを操作することにより、音楽やラジオを聞くことができる。しかも、画像が表示されないために省エネルギー化を図ることができる。


【手続補正７】
【補正対象書類名】明細書
【補正対象項目名】００１０
【補正方法】変更
【補正の内容】
【００１０】
さらに、本発明は、表示制御部に制御されて画像を表示する表示部と、音響信号出力部から音響信号が入力する音響信号取出し部とを有するオーディオ・ビジュアル機器において、操作信号を出力する第１スイッチと、前記表示部を覆う蓋の開閉に連動してオン・オフされる第２スイッチと、前記蓋が閉じられていることを前記第２スイッチが出力し、前記表示制御部の出力がオフであって、前記音響信号出力部との出力がオンである場合に、前記第１スイッチからの操作信号が入力したときに、前記表示部の出力をオフに維持しつつ前記音響信号出力部の出力をオフにする制御部と、を有することを特徴としている。また、本発明は、表示制御部に制御されて画像を表示する表示部と、音響信号出力部から音響信号が入力する音響信号取出し部とを有するオーディオ・ビジュアル機器において、操作信号を出力する第１スイッチと、前記表示部を覆う蓋の開閉に連動してオン・オフされる第２スイッチと、前記蓋が閉じられていることを前記第２スイッチが出力し、前記表示制御部の出力がオフであり、前記音響信号出力部との出力がオンである場合に、前記第２スイッチの出力に基づいて前記蓋が開かれたことを検知したときに、前記音響信号出力部の出力をオンに維持しつつ前記表示制御部の出力をオンにする制御部と、を有することを特徴としている。すなわち、例えばＣＤなどの再生中に、音楽だけではなく、画像を見たいときに蓋を開けることにより、画像を見ることができる。


【手続補正８】
【補正対象書類名】明細書
【補正対象項目名】００４６
【補正方法】変更
【補正の内容】
【００４６】
また、画像表示モードにおいては、メニュースイッチ２２の長押しを行なうと、画像設定モードに移行する。画像設定モードは、外部メモリ５４に記憶させてある画像を壁紙として使用するか否かの設定、壁紙として使用する画像の設定、スライドショーモードにおける表示時間の設定などを行なえるようにしてある。そして、画像設定モードの状態において、メニュースイッチ２２が押下操作されると、前記したように画像表示モードに復帰する。


【手続補正９】
【補正対象書類名】明細書
【補正対象項目名】００５３
【補正方法】変更
【補正の内容】
【００５３】
第２電源スイッチ３２と表示部３０とがオフ（表示制御部４４がオフ）の状態であって、ジャック２６の出力のみがオンの状態において、図１のｗに示したように、蓋１４があけられて第２電源スイッチ３２がオンされると、同図のｘに示したように、表示部３０がオンされる。すなわち、例えばＣＤを聞いている状態において、画像を見たいときには、蓋１４を開いて表示部３０を露出させればよい。また、この状態において画像の表示を必要しない場合には、蓋１４を閉じて第２電源スイッチ３２をオフにすると（図１のｙ）、同図ｚのように表示部３０のみがオフされ、ジャック２６への音響信号の出力が継続される。そして、制御部５０は、この状態において図１のαのように第１電源スイッチ２０が押下されると、同図のβのようにジャック２６の出力をオフしてＡＶ機器１０の電源をオフする。